【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
焦点調節光学系を有する光学系による像を撮像して信号を出力する撮像部と、
前記撮像部から出力された信号に基づいて、前記光学系による像が前記撮像部に合焦する前記焦点調節光学系の合焦位置を検出する検出部と、
前記焦点調節光学系の位置を制御する位置制御部と、
前記位置制御部により前記焦点調節光学系の位置を前記合焦位置に移動させるために操作される操作部と、
前記操作部が操作されると、前記位置制御部により前記焦点調節光学系の移動が開始されてから前記合焦位置へ移動するまでに、前記検出部により合焦位置を検出するための露出制御を行う露出制御部と、を備える撮像装置。
【請求項２】
請求項１に記載の撮像装置において、
前記撮像部から出力された信号に基づいて画像を表示する表示部を備え、
前記露出制御部は、前記操作部が操作されるまで、前記表示部に表示する画像を撮像するための露出制御を行い、前記位置制御部により前記焦点調節光学系の移動が開始されてから前記合焦位置へ移動するまでに、前記検出部により合焦位置を検出するための露出制御を行う撮像装置。
【請求項３】
請求項１または２に記載の撮像装置において、
前記露出制御部は、前記操作部が操作されるまでに前記撮像部から出力された信号の大きさが所定範囲内でないと、前記操作部が操作されてから前記位置制御部により前記焦点調節光学系の移動が開始されるまでに、前記検出部により合焦位置を検出するための露出制御を行う撮像装置。
【請求項４】
請求項１から３のいずれか１項に記載の撮像装置において、
前記露出制御部は、前記撮像部の感度または露光時間を用いて、前記検出部により合焦位置を検出するための露出制御を行う撮像装置。
【請求項５】
請求項１から４のいずれか１項に記載の撮像装置において、
前記露出制御部は、前記光学系が有する絞りよりも前記撮像部の感度または露光時間を優先して用いて、前記検出部により合焦位置を検出するための露出制御を行う撮像装置。
【請求項６】
請求項１から５のいずれか１項に記載の撮像装置において、
前記撮像部から出力された信号に基づいて画像を表示する表示部を備え、
前記露出制御部は、前記検出部により合焦位置を検出するための露出制御における露出値を、前記表示部に表示する画像を撮像するための露出制御における露出値よりも大きくする撮像装置。
【請求項７】
請求項１から６のいずれか１項に記載の撮像装置において、
前記位置制御部は、前記操作部が操作されると、前記操作部が操作されるまでに前記検出部により検出された合焦位置に前記焦点調節光学系の位置を制御する撮像装置。
【請求項８】
請求項１から７のいずれか１項に記載の撮像装置において、
前記位置制御部は、前記検出部により合焦位置を検出するための露出制御が前記露出制御部により行われてから、前記撮像部から出力された信号の大きさが所定範囲内であると、前記検出部により合焦位置を検出するために前記焦点調節光学系を移動させる撮像装置。
【請求項９】
請求項１から８のいずれか１項に記載の撮像装置において、
前記検出部は、前記撮像部から出力された信号に基づいて、前記焦点調節光学系の位置と前記合焦位置とのずれ量を検出し、
前記露出制御部は、前記操作部が操作されるまでに前記検出部により検出されたずれ量に信頼性があると、前記位置制御部により前記焦点調節光学系の移動が開始されてから前記合焦位置へ移動するまでに、前記検出部によりずれ量を検出するための露出制御を行う撮像装置。
【請求項１０】
請求項９に記載の撮像装置において、
前記露出制御部は、前記操作部が操作されるまでに前記検出部により検出されたずれ量に信頼性がないと、前記操作部が操作されてから前記位置制御部により前記焦点調節光学系の移動が開始されるまでに、前記検出部によりずれ量を検出するための露出制御を行う撮像装置。
【請求項１１】
請求項９または１０に記載の撮像装置において、
前記位置制御部は、前記操作部が操作されるまでに前記検出部により検出されたずれ量に信頼性があると、前記操作部が操作されるまでに前記検出部により検出されたずれ量に基づいて、前記焦点調節光学系の位置を制御する撮像装置。
【請求項１２】
請求項９または１１に記載の撮像装置において、
前記位置制御部は、前記操作部が操作されるまでに前記検出部により検出されたずれ量に信頼性がないと、前記検出部により前記ずれ量を検出するための露出制御が前記露出制御部により行われてから検出されたずれ量に基づいて、前記焦点調節光学系の位置を制御する撮像装置。
【請求項１３】
請求項９から１２のいずれか１項に記載の撮像装置において、
前記露出制御部は、前記操作部が操作されるまでに前記検出部により検出されたずれ量に信頼性がなく、前記操作部が操作されるまでに前記撮像部から出力された信号の大きさが所定範囲内でないと、前記操作部が操作されてから前記位置制御部により前記焦点調節光学系の移動が開始されるまでに、前記検出部により合焦位置を検出するための露出制御を行う撮像装置。
【請求項１４】
請求項９から１３のいずれか１項に記載の撮像装置において、
前記位置制御部は、前記検出部により合焦位置を検出するための露出制御が前記露出制御部により行われてから、前記検出部により検出されたずれ量に信頼性がなく、前記撮像部から出力された信号の大きさが所定範囲内であると、前記検出部により合焦位置を検出するために前記焦点調節光学系を移動させる撮像装置。
【請求項１５】
焦点調節光学系を有する光学系による像を撮像して信号を出力する撮像部と、
前記撮像部から出力された信号に基づいて、前記光学系による像が前記撮像部に合焦する前記焦点調節光学系の合焦位置を検出する検出部と、
前記焦点調節光学系の位置を制御する位置制御部と、
前記位置制御部により前記焦点調節光学系の位置を前記合焦位置に制御するために操作される操作部と、を備え、
前記位置制御部は、前記操作部が操作されると、前記操作部が操作されるまでに前記検出部により検出された合焦位置へ前記焦点調節光学系の移動を開始し、前記焦点調節光学系の移動が開始されてから前記合焦位置へ移動するまでに前記検出部により検出された合焦位置に基づいて前記焦点調節光学系の位置を制御する撮像装置。
【請求項１６】
請求項１５に記載の撮像装置において、
焦点調節光学系を有する光学系による像を撮像して信号を出力する撮像部を備え、
前記検出部は、前記撮像部から出力された信号に基づいて、前記焦点調節光学系の合焦位置と前記焦点調節光学系とのずれ量を検出し、
前記位置制御部は、前記操作部が操作されると、前記操作部が操作されるまでに前記検出部により検出されたずれ量に基づいて前記焦点調節光学系の移動を開始し、前記焦点調節光学系の移動が開始されてから前記合焦位置へ移動するまでに前記検出部により検出されたずれ量に基づいて前記焦点調節光学系の位置を制御する撮像装置。
【請求項１７】
請求項１６に記載の撮像装置において、
前記位置制御部は、前記操作部が操作されるまでに前記検出部により検出されたずれ量に信頼性があると、前記操作部が操作されるまでに検出されたずれ量に基づいて、前記焦点調節光学系の位置を制御する撮像装置。
【請求項１８】
請求項１６または１７のいずれか１項に記載の撮像装置において、
前記位置制御部は、前記操作部が操作されるまでに前記検出部により検出された前記ずれ量に信頼性がないと、前記操作部が操作されてから前記焦点調節光学系の移動が開始されるまでに前記検出部により検出されたずれ量に基づいて前記焦点調節光学系の位置を制御する撮像装置。
【請求項１９】
請求項１６から１８のいずれか１項に記載の撮像装置において、
前記位置制御部は、前記操作部が操作されるまでに前記検出部により検出された前記ずれ量に信頼性がなく、前記撮像部から出力された信号の大きさが所定範囲内であると、前記検出部により合焦位置を検出するために前記焦点調節光学系を移動させる撮像装置。
【請求項２０】
請求項１５から１９のいずれか１項に記載の撮像装置において、
前記操作部が操作されると、前記位置制御部により前記焦点調節光学系の移動が開始されてから前記合焦位置へ移動するまでに、前記検出部により合焦位置を検出するための露出制御を行う露出制御部と、を備える撮像装置。
【請求項２１】
請求項２０に記載の撮像装置において、
前記撮像部から出力された信号に基づいて画像を表示する表示部を備え、
前記露出制御部は、前記操作部が操作されるまで、前記表示部に表示する画像を撮像するための露出制御を行い、前記位置制御部により前記焦点調節光学系の移動が開始されてから前記合焦位置へ移動するまでに、前記検出部により合焦位置を検出するための露出制御を行う撮像装置。
【手続補正２】
【補正対象書類名】明細書
【補正対象項目名】発明の名称
【補正方法】変更
【補正の内容】
【発明の名称】撮像装置
【手続補正３】
【補正対象書類名】明細書
【補正対象項目名】０００１
【補正方法】変更
【補正の内容】
【０００１】
本発明は、撮像装置に関する。
【手続補正４】
【補正対象書類名】明細書
【補正対象項目名】０００５
【補正方法】変更
【補正の内容】
【０００５】
本発明が解決しようとする課題は、レリーズボタンが半押しされてから、フォーカスレンズが駆動されるまでの時間を短縮することが可能な撮像装置を提供することである。
【手続補正５】
【補正対象書類名】明細書
【補正対象項目名】０００７
【補正方法】変更
【補正の内容】
【０００７】
［１］本発明に係る撮像装置は、焦点調節光学系（３２）を有する光学系による像を撮像して信号を出力する撮像部と、前記撮像部から出力された信号に基づいて、前記光学系による像が前記撮像部に合焦する前記焦点調節光学系の合焦位置を検出する検出部と、前記焦点調節光学系の位置を制御する位置制御部（３７）と、前記位置制御部（３７）により前記焦点調節光学系の位置を前記合焦位置に移動させるために操作される操作部と、前記操作部が操作されると、前記位置制御部により前記焦点調節光学系の移動が開始されてから前記合焦位置へ移動するまでに、前記検出部により合焦位置を検出するための露出制御を行う露出制御部（２１）と、を備えることを特徴とする。
［２］上記撮像装置に係る発明において、前記撮像部から出力された信号に基づいて画像を表示する表示部を備え、前記露出制御部は、前記操作部が操作されるまで、前記表示部に表示する画像を撮像するための露出制御を行い、前記位置制御部により前記焦点調節光学系の移動が開始されてから前記合焦位置へ移動するまでに、前記検出部により合焦位置を検出するための露出制御を行うように構成することができる。
［３］上記撮像装置に係る発明において、前記露出制御部は、前記操作部が操作されるまでに前記撮像部から出力された信号の大きさが所定範囲内でないと、前記操作部が操作されてから前記位置制御部により前記焦点調節光学系の移動が開始されるまでに、前記検出部により合焦位置を検出するための露出制御を行うように構成することができる。
［４］上記撮像装置に係る発明において、前記露出制御部は、前記撮像部の感度または露光時間を用いて、前記検出部により合焦位置を検出するための露出制御を行うように構成することができる。
［５］上記撮像装置に係る発明において、前記露出制御部は、前記光学系が有する絞りよりも前記撮像部の感度または露光時間を優先して用いて、前記検出部により合焦位置を検出するための露出制御を行うように構成することができる。
［６］上記撮像装置に係る発明において、前記撮像部から出力された信号に基づいて画像を表示する表示部を備え、前記露出制御部は、前記検出部により合焦位置を検出するための露出制御における露出値を、前記表示部に表示する画像を撮像するための露出制御における露出値よりも大きくするように構成することができる。
［７］上記撮像装置に係る発明において、前記位置制御部は、前記操作部が操作されると、前記操作部が操作されるまでに前記検出部により検出された合焦位置に前記焦点調節光学系の位置を制御するように構成することができる。
［８］上記撮像装置に係る発明において、前記位置制御部は、前記検出部により合焦位置を検出するための露出制御が前記露出制御部により行われてから、前記撮像部から出力された信号の大きさが所定範囲内であると、前記検出部により合焦位置を検出するために前記焦点調節光学系を移動させるように構成することができる。
［９］上記撮像装置に係る発明において、前記検出部は、前記撮像部から出力された信号に基づいて、前記焦点調節光学系の位置と前記合焦位置とのずれ量を検出し、前記露出制御部は、前記操作部が操作されるまでに前記検出部により検出されたずれ量に信頼性があると、前記位置制御部により前記焦点調節光学系の移動が開始されてから前記合焦位置へ移動するまでに、前記検出部によりずれ量を検出するための露出制御を行うように構成することができる。
［１０］上記撮像装置に係る発明において、前記露出制御部は、前記操作部が操作されるまでに前記検出部により検出されたずれ量に信頼性がないと、前記操作部が操作されてから前記位置制御部により前記焦点調節光学系の移動が開始されるまでに、前記検出部によりずれ量を検出するための露出制御を行うように構成することができる。
［１１］上記撮像装置に係る発明において、前記位置制御部は、前記操作部が操作されるまでに前記検出部により検出されたずれ量に信頼性があると、前記操作部が操作されるまでに前記検出部により検出されたずれ量に基づいて、前記焦点調節光学系の位置を制御するように構成することができる。
［１２］上記撮像装置に係る発明において、前記位置制御部は、前記操作部が操作されるまでに前記検出部により検出されたずれ量に信頼性がないと、前記検出部により前記ずれ量を検出するための露出制御が前記露出制御部により行われてから検出されたずれ量に基づいて、前記焦点調節光学系の位置を制御するように構成することができる。
［１３］上記撮像装置に係る発明において、前記露出制御部は、前記操作部が操作されるまでに前記検出部により検出されたずれ量に信頼性がなく、前記操作部が操作されるまでに前記撮像部から出力された信号の大きさが所定範囲内でないと、前記操作部が操作されてから前記位置制御部により前記焦点調節光学系の移動が開始されるまでに、前記検出部により合焦位置を検出するための露出制御を行うように構成することができる。
［１４］上記撮像装置に係る発明において、前記位置制御部は、前記検出部により合焦位置を検出するための露出制御が前記露出制御部により行われてから、前記検出部により検出されたずれ量に信頼性がなく、前記撮像部から出力された信号の大きさが所定範囲内であると、前記検出部により合焦位置を検出するために前記焦点調節光学系を移動させるように構成することができる。
［１５］本発明に係る撮像装置は、焦点調節光学系を有する光学系による像を撮像して信号を出力する撮像部と、前記撮像部から出力された信号に基づいて、前記光学系による像が前記撮像部に合焦する前記焦点調節光学系の合焦位置を検出する検出部と、前記焦点調節光学系の位置を制御する位置制御部と、前記位置制御部により前記焦点調節光学系の位置を前記合焦位置に制御するために操作される操作部と、を備え、前記位置制御部は、前記操作部が操作されると、前記操作部が操作されるまでに前記検出部により検出された合焦位置へ前記焦点調節光学系の移動を開始し、前記焦点調節光学系の移動が開始されてから前記合焦位置へ移動するまでに前記検出部により検出された合焦位置に基づいて前記焦点調節光学系の位置を制御することを特徴とする。
［１６］上記撮像装置に係る発明において、焦点調節光学系を有する光学系による像を撮像して信号を出力する撮像部を備え、前記検出部は、前記撮像部から出力された信号に基づいて、前記焦点調節光学系の合焦位置と前記焦点調節光学系とのずれ量を検出し、前記位置制御部は、前記操作部が操作されると、前記操作部が操作されるまでに前記検出部により検出されたずれ量に基づいて前記焦点調節光学系の移動を開始し、前記焦点調節光学系の移動が開始されてから前記合焦位置へ移動するまでに前記検出部により検出されたずれ量に基づいて前記焦点調節光学系の位置を制御するように構成することができる。
［１７］上記撮像装置に係る発明において、前記位置制御部は、前記操作部が操作されるまでに前記検出部により検出されたずれ量に信頼性があると、前記操作部が操作されるまでに検出されたずれ量に基づいて、前記焦点調節光学系の位置を制御するように構成することができる。
［１８］上記撮像装置に係る発明において、前記位置制御部は、前記操作部が操作されるまでに前記検出部により検出された前記ずれ量に信頼性がないと、前記操作部が操作されてから前記焦点調節光学系の移動が開始されるまでに前記検出部により検出されたずれ量に基づいて前記焦点調節光学系の位置を制御するように構成することができる。
［１９］上記撮像装置に係る発明において、前記位置制御部は、前記操作部が操作されるまでに前記検出部により検出された前記ずれ量に信頼性がなく、前記撮像部から出力された信号の大きさが所定範囲内であると、前記検出部により合焦位置を検出するために前記焦点調節光学系を移動させるように構成することができる。
［２０］上記撮像装置に係る発明において、前記操作部が操作されると、前記位置制御部により前記焦点調節光学系の移動が開始されてから前記合焦位置へ移動するまでに、前記検出部により合焦位置を検出するための露出制御を行う露出制御部と、を備えるように構成することができる。
［２１］上記撮像装置に係る発明において、前記撮像部から出力された信号に基づいて画像を表示する表示部を備え、前記露出制御部は、前記操作部が操作されるまで、前記表示部に表示する画像を撮像するための露出制御を行い、前記位置制御部により前記焦点調節光学系の移動が開始されてから前記合焦位置へ移動するまでに、前記検出部により合焦位置を検出するための露出制御を行うように構成することができる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】